(57)【要約】【課題】  ＦＢＳを用いた原稿の読み取りにおいて、原稿の置き忘れを確実に防止することが可能な画像読み取り装置を提供する。【解決手段】  原稿がセットされる原稿載置台と、原稿載置台にセットされた原稿を原稿載置台方向に押圧する原稿押圧板部材と、原稿押圧板部材を開閉させる開閉機構と、原稿載置台にセットされた原稿を読み取る読み取り部と、読み取り部による原稿の読み取りの終了を判断する判断部と、判断部による判断結果に基づき開閉機構を動作させることで原稿載置台上の原稿押圧板部材を開かせる開閉制御部と、を備えることを特徴とする画像読み取り装置。【選択図】  図１
2010028262.tif 000002
【特許請求の範囲】
【請求項１】
原稿がセットされる原稿載置台と、
前記原稿載置台にセットされた前記原稿を前記原稿載置台方向に押圧する原稿押圧板部材と、
前記原稿押圧板部材を開閉させる開閉機構と、
前記原稿載置台にセットされた前記原稿を読み取る読み取り部と、
前記読み取り部による前記原稿の読み取りの終了を判断する判断部と、
前記判断部による判断結果に基づき前記開閉機構を動作させることで前記原稿載置台上の前記原稿押圧板部材を開かせる開閉制御部と、
を備えることを特徴とする画像読み取り装置。
【請求項２】
原稿がセットされる原稿載置台と、
前記原稿載置台にセットされた前記原稿を前記原稿載置台方向に押圧する原稿押圧板部材と、
前記原稿押圧板部材を開閉させる開閉機構と、
前記原稿載置台にセットされた前記原稿を読み取る読み取り部と、
前記原稿載置台にセットされた前記原稿の有無を検出する原稿検出部と、
前記読み取り部による前記原稿の読み取りの終了を判断する判断部と、
前記原稿検出部による前記原稿の検出結果及び前記判断部による判断結果に基づき前記開閉機構を動作させることで前記原稿載置台上の前記原稿押圧板部材を開かせる開閉制御部と、
を備えることを特徴とする画像読み取り装置。
【請求項３】
前記開閉制御部は前記原稿押圧板部材が持ち上げられた時間が所定の時間を経過した場合に、前記開閉機構を動作させることで前記原稿押圧板部材を閉じさせることを特徴とする請求項１又は２記載の画像読み取り装置。
【請求項４】
前記原稿載置台と前記原稿押圧板部材とを連結させてロックするロック機構と、
前記ロック機構の解除にかかる第１の認証情報を登録する登録手段と、
前記登録手段により登録された前記第１の認証情報を記録する記録部と、
ユーザの認証情報の入力を第２の認証情報として受付ける認証情報入力部と、
前記記録部に記録された前記第１の認証情報と前記認証情報入力部で受付けられた前記第２の認証情報とに基づいて前記ロック機構を解除するか否かを判断するロック解除判断部と、
前記ロック解除判断部による判断結果に基づき前記ロック機構を動作させることで前記原稿載置台と前記原稿押圧板部材とをロック状態を制御するロック制御部と、
を備えることを特徴とする請求項１乃至３の何れかに記載の画像読み取り装置。
【発明の詳細な説明】
【技術分野】
【０００１】
本発明は画像読み取り装置、特にフラットベットスキャナ方式の画像読み取り手段を備えた画像読み取り装置に関するものである。
【背景技術】
【０００２】
一般的に、複写機やファックス装置等の複合機に設けられている画像読み取り装置には、シート状の原稿を搬送しながら原稿上の画像を読み取るＡＤＦ（自動原稿搬送装置）や、原稿を原稿載置台に押圧した状態で原稿上の画像を読み取る、いわゆるフラットベットスキャナ方式（ＦＢＳ）等の画像読み取り手段が装着されている。例えば、ＦＢＳにおいて、シート状の原稿を読み取る場合には、透明材質の原稿載置台に原稿をセットして原稿押圧板部材を閉じ、走査装置を原稿載置台の下面に沿って定速で移動させながら原稿上の画像を読み取る。そして、読み取られた画像に基づく画像信号はデジタル信号に変換され出力される。
【０００３】
ところが、ＦＢＳを用いた原稿の読み取りにおいては、原稿押圧板部材が閉じられた状態で原稿の読み取りが実行されるため、走査装置による原稿の読み取り動作が終了した後に、ユーザが原稿を回収するのを忘れ、そのまま原稿が原稿載置台に放置されるといった問題があった。
【０００４】
このような問題を解決するため、例えば、特許文献１には、走査装置による原稿の読み取り終了後、所定時間が経過しても原稿押圧板部材の開閉がなされなかった場合に、音声ガイダンスなどで、原稿載置台に原稿が放置されている旨をユーザに通知する画像読み取り装置に関する発明が開示されている。
【０００５】
【特許文献１】特開２００５−１６５１８２号公報
【発明の開示】
【発明が解決しようとする課題】
【０００６】
しかしながら、特許文献１記載の画像読み取り装置では、走査装置による原稿の読み取りが終了し、所定時間が経過した後で、ユーザに原稿載置台に原稿が放置されている旨が通知されるため、例えば、画像読み取り装置を使用した直後にユーザがその場を立ち去ってしまった場合には、原稿は原稿載置台に放置されたままとなるといった問題があった。
【０００７】
本発明は、このような実情に鑑みてなされたものであり、本発明の課題は、ＦＢＳを用いた原稿の読み取りにおいて、原稿の置き忘れを確実に防止することが可能な画像読み取り装置を提供することである。
【課題を解決するための手段】
【０００８】
上記課題を解決するために、本発明にかかる画像読み取り装置は、原稿がセットされる原稿載置台と、原稿載置台にセットされた原稿を原稿載置台方向に押圧する原稿押圧板部材と、原稿押圧板部材を開閉させる開閉機構と、原稿載置台にセットされた原稿を読み取る読み取り部と、読み取り部による原稿の読み取りの終了を判断する判断部と、判断部による判断結果に基づき開閉機構を動作させることで原稿載置台上の原稿押圧板部材を開かせる開閉制御部と、を備えることを特徴とする。
【０００９】
本発明の画像読み取り装置は、読み取り部による原稿の読み取りの終了を判断する判断部を備える。そして、判断部による判断結果に基づき、開閉制御部は開閉機構を動作させることにより原稿載置台上の原稿押圧板部材を持ち上げさせる。したがって、読み取り部による原稿の読み取り終了後に原稿押圧板部材は確実に開かれることになる。
【００１０】
また、本発明にかかる画像読み取り装置は、原稿がセットされる原稿載置台と、原稿載置台にセットされた原稿を原稿載置台方向に押圧する原稿押圧板部材と、原稿押圧板部材を開閉させる開閉機構と、原稿載置台にセットされた原稿を読み取る読み取り部と、原稿載置台にセットされた原稿の有無を検出する原稿検出部と、読み取り部による原稿の読み取りの終了を判断する判断部と、原稿検出部による原稿の検出結果及び判断部による判断結果に基づき開閉機構を動作させることで原稿載置台上の前記原稿押圧板部材を開かせる開閉制御部と、を備えることを特徴とする。
【００１１】
本発明の画像読み取り装置は、原稿載置台にセットされた原稿の有無を検出する原稿検出部と読み取り部による原稿の読み取りの終了を判断する判断部とを備える。そして、原稿検出部による原稿の検出結果及び判断部による判断結果に基づき、開閉制御部は開閉機構を動作させることにより原稿載置台上の原稿押圧板部材を持ち上げさせる。したがって、読み取り部による原稿の読み取り終了後で、かつ、原稿載置台に原稿が存在している場合に、原稿押圧板部材は確実に開かれることになる。
【発明の効果】
【００１２】
本発明の画像読み取り装置によれば、ＦＢＳを用いた原稿の読み取りにおいて、原稿の置き忘れを確実に防止することが可能となる。
【発明を実施するための最良の形態】
【００１３】
以下、本発明の実施形態について図面を参照して説明する。なお、本発明は以下の記述に限定されるものではなく、本発明の要旨を逸脱しない範囲において適宜変更可能である。
【００１４】
［第１の実施形態］
図１は、第１の実施形態にかかる画像読み取り装置１０の要部側面図であり、図２は、画像読み取り装置１０の要部拡大断面図である。画像読み取り装置１０は、原稿上の画像を読み取り、当該画像に基づくデジタル信号を出力することができる。
【００１５】
画像読み取り装置１０は、原稿Ｐの読み取り動作にかかる各構成部を備える装置本体１１と、原稿押圧板部材としてのカバー１２とを備える。そして、装置本体１１は、カバー１２を開閉させる開閉機構部１３と、表示部１４，操作入力部１５と、原稿Ｐが載置される原稿載置台としての原稿載置板１６と、原稿Ｐを読み取る読み取り部としての画像読み取り部１７と、画像読み取り部１７を駆動させる無端のベルト１８と、ベルト１０を張架する位置に配設されたプーリ１９，２０と、プーリ２０に駆動力を供給する画像読み取り搬送モータ２１と、画像読み取り部１７の搬送をガイドする搬送ガイドバー２２と、開閉機構１３及び画像読み取り部１７の制御を司る制御基板２３と、を備える。
【００１６】
カバー１２は、原稿Ｐがセットされる際には開かれ、原稿Ｐが読み取られる際には閉じられる開閉部材である。カバー１２における原稿載置板１６との接触面には、図示せぬ原稿押え部材が設けられている。この原稿押え部材は、原稿載置板１６と略同一の面積を有する長方形板状部材であり、光反射性の白色性シートである。
【００１７】
開閉機構部１３は、カバー１２を開閉させる開閉機構である。図３に示されるように、開閉機構部１３は、カバー１２の基端部を開閉駆動軸２４に固定支持し、この開閉駆動軸２４を中心軸として原稿載置部１２の開閉動作を行わせる。なお、図３は、図１中のＡ断面を矢印方向から見た断面図である。開閉駆動軸２４は、その駆動軸の一端に従属ギア２５を取り付けた状態で装置本体１１に挿入され、この装置本体１１内部に従動ギア２５が位置するように設定されている。さらに、装置本体１１内部には、従動ギア２５の位置の直下にパルス制御により回転方向及び回転速度を自在に制御することが可能なステッピングモータ２６が取り付けられている。また、このステッピングモータ２６の回転軸２７には、従動ギア２５と噛合う位置に駆動ギア２８が取付けられている。
【００１８】
表示部１４，操作入力部１５は、例えば、ＬＣＤ（Liquid Crystal Display）パネル等の出力装置から構成されており、画像読み取り装置１０の装置状況の表示やＬＣＤパネルに表示されたタッチパネル等を介してユーザからの入力を受付ける。
【００１９】
原稿載置板１６は、原稿Ｐが載置される原稿載置面を形成する光透過性の透明部材である。原稿載置板１６は、特には限定はされないが、例えば、長方形の板状ガラス等を使用することができる。
【００２０】
画像読み取り部１７は、少なくとも原稿Ｐに対して光を照射する図示せぬ光源と、受光した光をデジタル信号に変換する図示せぬＣＣＤ（Charge Coupled Device）イメージセンサと、原稿Ｐが反射した光を集光するとともに、ＣＣＤイメージセンサに導く導光手段を備える。光源は、特には限定はされないが、例えば、寿命が長く、消費電力が少ないモリブテン電極等の冷陰極管を使用することができる。また、ＣＣＤイメージセンサは、撮像素子の一つであり、受光した光の明暗をデジタル信号に変換する。導光手段には、例えば、ミラー及び／又はレンズ等を使用することができ、原稿Ｐで反射された光をＣＣＤイメージセンサに結像させる位置に配設される。
【００２１】
ベルト１８は、後述する読み取り制御部３２の指示に基づいて画像読み取り部１７を図２中、矢印方向に搬送する搬送部材である。プーリ１９は、画像読み取り搬送モータ２１に接続されており、画像読み取り搬送モータ２１から供給された駆動力により回転することでベルト１８を図２中、矢印方向に駆動させる。そして、プーリ２０は、プーリ１９と対を成してベルト１８を張架する。
【００２２】
搬送ガイドバー２２は、ベルト１８の駆動に伴い移動する画像読み取り部１７をガイドするガイド部材である。
【００２３】
制御基板２３は、例えば、マイクロプロセッサやフラッシュＲＯＭ（Read Only Memory）等から構成され、開閉機構１３及び画像読み取り部１７の制御を司る制御部材である。
【００２４】
次に、画像読み取り装置１０の機能構成について、図４のブロック図を使用して説明する。画像読み取り装置１０は、装置内部のファームウェア制御を行う制御部３０と、表示部１４，操作入力部１５を制御するパネル制御部３１と、画像読み取り部１７と画像読み取り搬送モータ２１とを制御し、原稿載置板１６上に載置された原稿Ｐの読み取りを制御する読み取り制御部３２と、ステッピングモータ２６を制御してカバー１２の開閉を制御する開閉制御部としてのカバー開閉制御部３３と、画像読み取り部１７により取得されたデジタル信号を加工し画像データを生成する画像処理部３４と、画像処理部３４により生成された画像データを格納するデータ蓄積部３５と、データ蓄積部３５に蓄積された画像データを、例えば外部のパーソナルコンピュータ等に出力するデータ出力部３６と、画像読み取り部１７による原稿Ｐの読み取り後のカバー１２の開閉時間を計測するタイマ３７と、を備える。
【００２５】
次に、上記構成を備えた画像読み取り装置１０による原稿Ｐの読み取り動作について図５及び図６のフローチャートを使用して説明する。図５は、画像読み取り装置１０全体にかかる処理を説明するフローチャートであり、図６は読み取り制御部３２にかかる処理を説明するフローチャートである。
【００２６】
まず、操作入力部１５を介して原稿Ｐの読み取り開始指示の入力を受付けると、パネル制御部３１は、原稿Ｐの読み取り開始が指示された旨を制御部３０に対して通知する。すると、制御部３０は、原稿Ｐの読み取りを開始するよう読み取り制御部３２に指示を与える（図５  ステップＳ１００）。
【００２７】
制御部３０により原稿Ｐの読み取り開始指示を受けた読み取り制御部３２は、画像読み取り搬送モータ２１を駆動させることで、画像読み取り部１７をホームポジションから読み取り開始位置まで移動させる。（図６  ステップＳ２００）このとき、読み取り制御部３２は、画像読み取り部１７の移動を監視しており、画像読み取り部１７が読み取り開始位置に到達すると（図６  ステップＳ２０１  Ｙｅｓ）、読み取り制御部３２は、画像読み取り部１７に対して原稿Ｐの読み取り開始の指示を与える。
【００２８】
原稿Ｐの読み取り開始の指示を受けた画像読み取り部１７は原稿Ｐの読み取りを開始する（図６  ステップＳ２０２）。そして、画像読み取り部１７が原稿Ｐの読み取りに必要な読み取りライン数に到達すると（図６  ステップＳ２０３  Ｙｅｓ）、読み取り制御部３２は、画像読み取り部１７に対して原稿Ｐの読み取りを停止するよう指示を与える。指示を受けた画像読み取り部１７は原稿Ｐの読み取りを停止する。
【００２９】
次に、読み取り制御部３２は、画像読み取り搬送モータ２１の駆動を停止させる（図６  ステップＳ２０４）。そして、読み取り制御部３２は、再び画像読み取り搬送モータ２１を駆動させ（図６  ステップＳ２０５）、画像読み取り部１７をホームポジションに移動させる。
【００３０】
画像読み取り部１７がホームポジションに到達すると（図６  ステップＳ２０６  Ｙｅｓ）、読み取り制御部３２は、画像読み取り搬送モータ２１の駆動を停止させるとともに（図６  ステップＳ２０７）、原稿Ｐの読み取りが終了した旨を制御部３０に通知する（図６  ステップＳ２０８）。
【００３１】
読み取り制御部３２により原稿Ｐの読み取り終了が通知されると（図５  ステップＳ１０１  Ｙｅｓ）、制御部３０はカバー開閉制御部３３に対してカバー１２を開くよう指示を与えるとともに（図５  ステップＳ１０２）、タイマ３７を起動する。指示を受けたカバー開閉制御部３３は、ステッピングモータ２６を駆動させることで、カバー１２を開かせる。このとき、カバー開閉制御部３３は、カバー１２が閉じた状態から開く方向に向かって徐々にカバー１２の開閉速度を早くし、完全にカバー１２が開かれた状態に近づくにつれ、徐々にカバー１２の開閉スピードを遅くし、完全にカバー１２が開かれた状態で停止するようステッピングモータ２６を制御する。
【００３２】
カバー１２が開かれて所定時間が経過すると（図５  ステップＳ１０３  Ｙｅｓ）、制御部３０は、カバー開閉制御部３３に対してカバー１２を閉じるよう指示を与える（図５  ステップＳ１０４）。指示を受けたカバー開閉制御部３３は、ステッピングモータ２６を駆動させることで、カバー１２を閉じさせる。このとき、カバー開閉制御部３３は、カバー１２が開いた状態から閉じる方向に向かって徐々にカバー１２の開閉速度を早くし、完全にカバー１２が閉じられた状態に近づくにつれ、徐々にカバー１２の開閉スピードを遅くし、完全にカバー１２が閉じられた状態で停止するようステッピングモータ２６を制御する。
【００３３】
以上のように、第１の実施形態によれば、原稿の読み取り終了後に自動的にカバーが開き、原稿の取り忘れを視覚的に通知することができるので、原稿の置き忘れを確実に防止することができる。また、次原稿の読み取りが可能となった際に、カバーが開かれるので、ユーザによる原稿の読み取り中のカバー開きの防止、次原稿の交換時間の遅延を短縮することができる。
【００３４】
［第２の実施形態］
第２の実施形態にかかる画像読み取り装置５０の要部構成は、第１の実施形態にかかる画像読み取り装置１０と略同一である。したがって、第２の実施形態にかかる画像読み取り装置５０の説明においては、第１の実施形態にかかる画像読み取り装置１０と同一な箇所には同一の符号を付して説明を省略し、異なる箇所について説明する。
【００３５】
図７は、第２の実施形態にかかる画像読み取り装置５０の要部側面図であり、図８は、画像読み取り装置５０を上部から見た概略構成図である。
【００３６】
画像読み取り装置５０は、第１の実施形態にかかる画像読み取り装置１０の構成に加え、原稿載置板１６上に載置された原稿Ｐを検出する原稿検知センサ４０を備える。原稿検知センサ４０は、図７及び図８に示されるように、原稿載置板１６の基準端４１の近傍に配設され、原稿Ｐが原稿載置板１６に載置されると、制御基板２３に検出信号が出力される。
【００３７】
次に、画像読み取り装置５０の機能構成について、図９を使用して説明する。画像読み取り装置５０は、第１の実施形態にかかる画像読み取り装置１０の構成に加え、原稿検知センサ４０からの検出信号に基づいて原稿載置板１６上の原稿Ｐの有無を判断する原稿有無判断部４２を備える。
【００３８】
次に、上記構成を備えた画像読み取り装置５０による原稿Ｐの読み取り動作について図１０を使用して説明する。なお、読み取り制御部３２にかかる処理については、図６で説明した処理と同一であるため、ここでの説明は割愛する。
【００３９】
まず、操作入力部１５を介して原稿Ｐの読み取り開始指示の入力を受付けると、パネル制御部３１は、原稿Ｐの読み取り開始が指示された旨を制御部３０に対して通知する。すると、制御部３０は、原稿Ｐの読み取りを開始するよう読み取り制御部３２に指示を与える（ステップＳ３００）。
【００４０】
読み取り制御部３２により原稿Ｐの読み取り終了が通知されると（ステップＳ３０１  Ｙｅｓ）、制御部３０は原稿載置台１６上の原稿Ｐの有無について原稿有無判断部４２に問合せる。ここで、原稿載置台１６上に原稿Ｐがあると原稿有無判断部４２が判断した場合（ステップＳ３０２  Ｙｅｓ）、制御部３０はカバー開閉制御部３３に対してカバー１２を開くよう指示を与えるとともに（ステップＳ３０３）、タイマ３７を起動する。指示を受けたカバー開閉制御部３３は、ステッピングモータ２６を駆動させることで、カバー１２を開かせる。このとき、カバー開閉制御部３３は、カバー１２が閉じた状態から開く方向に向かって徐々にカバー１２の開閉速度を早くし、完全にカバー１２が開かれた状態に近づくにつれ、徐々にカバー１２の開閉スピードを遅くし、完全にカバー１２が開かれた状態で停止するようステッピングモータ２６を制御する。
【００４１】
カバー１２が開かれて所定時間が経過すると（ステップＳ３０４  Ｙｅｓ）、制御部３０は、カバー開閉制御部３３に対してカバー１２を閉じるよう指示を与える（ステップＳ３０５）。指示を受けたカバー開閉制御部３３は、ステッピングモータ２６を駆動させることで、カバー１２を閉じさせる。このとき、カバー開閉制御部３３は、カバー１２が開いた状態から閉じる方向に向かって徐々にカバー１２の開閉速度を早くし、完全にカバー１２が閉じられた状態に近づくにつれ、徐々にカバー１２の開閉スピードを遅くし、完全にカバー１２が閉じられた状態で停止するようステッピングモータ２６を制御する。
【００４２】
一方、原稿載置台１６上に原稿Ｐが無いと原稿有無判断部４２が判断した場合（ステップＳ３０２  Ｎｏ）、制御部３０は処理を終了する。
【００４３】
以上のように、第２の実施形態によれば、原稿載置板上に原稿が有る場合にのみ、カバーが開かれるので、誤って原稿載置板上の原稿が読み取られた場合に、カバーの開閉にかかる開閉時間を省くことができる。
【００４４】
［第３の実施形態］
第３の実施形態にかかる画像読み取り装置１００の要部構成は、第１，第２の実施形態にかかる画像読み取り装置１０，５０と略同一である。したがって、第３の実施形態にかかる画像読み取り装置１００の説明においては、第１，第２の実施形態にかかる画像読み取り装置１０，５０と同一な箇所には同一の符号を付して説明を省略し、異なる箇所について説明する。
【００４５】
図１１は、第３の実施形態にかかる画像読み取り装置１００の要部側面図であり、図１２は、画像読み取り装置１００のロック機構の部分拡大図である。
【００４６】
画像読み取り装置１００は、第１，第２の実施形態にかかる画像読み取り装置１０，５０の構成に加え、カバー１２’の先端部分と装置本体１１’にロック機構を備える。ロック機構は、図１２に示されるように、ロックギア２５２をロック駆動軸２５４に固定支持し、このロック駆動軸２５４を中心軸としてロックギア２５２が回転するようになっている。また、ロックギア２５２はその一部が従動ギアとなっており、この従動ギアの位置の直下にパルス制御により回転方向及び回転速度を自在に制御することが可能なステッピングモータ２５０が取り付けられている。さらに、このステッピングモータ２５０の回転軸２５３には、ロックギア２５２の従動ギアと噛合う位置に駆動ギア２５１が取り付けられている。
【００４７】
そして、図１２中のＤ断面を矢印Ｂ方向から見た断面図である図１３に示されるように、カバー１２’には、カバー１２’が閉じられた場合に、ロックギア２５２が挿入可能な溝と、ロックギア２５２に設けられた突起部２５６と係合可能な突起部２５５が形成されている。
【００４８】
また、図１２中のＤ断面を矢印Ｃ方向から見た断面図である図１４に示されるように、ロックギア２５２には、カバー１２’に形成された突起部２５５と係合することでロックし、カバー１２’が開かれないようにするための突起部２５６が形成されている。
【００４９】
次に、画像読み取り装置１００の機能構成について、図１５を使用して説明する。画像読み取り装置１００は、第１，第２の実施形態にかかる画像読み取り装置１０，５０の構成に加え、ステッピングモータ２５０を動作させることによりロック機構のロック状態を制御するロック制御部としてのロック機構制御部３０３と、画像読み取り装置１００を使用するユーザを認証するユーザ認証部３１０と、第１の認証情報として、他のユーザが画像読み取り装置１００を使用する直前に原稿Ｐを読み取らせ、ロック機構を稼動させたユーザにかかる情報をロックユーザ情報として記憶するロックユーザ情報記憶部３１１と、を第２の認証情報として、画像読み取り装置１００を使用するユーザにかかる情報をユーザ情報として記憶するユーザ情報記憶部３１２と、を備える。
【００５０】
次に、上記構成を備えた画像読み取り装置１００によるユーザ認証にかかる処理を図１６で、原稿Ｐの読み取り動作にかかる処理について図１７を使用して説明する。なお、読み取り制御部３２にかかる処理については、図６で説明した処理と同一であるため、ここでの説明は割愛する。
【００５１】
まず、画像読み取り装置１００は、表示部１４にユーザの認証画面を表示させ、ユーザに対して認証情報の入力を要求する。ユーザによって認証情報の入力が操作入力部１５を介してなされると、パネル制御部３１は、認証情報が入力された旨を制御部３０に対して通知する。すると、制御部３０は、ユーザ認証処理を実行するようユーザ認証部３１０に指示を与える。
【００５２】
制御部３０によりユーザ認証処理を実行するよう指示を受けると、ユーザ認証部３１０は、入力された認証情報と、ユーザ情報記憶部３１２に記憶されたユーザ情報とを比較してユーザ認証を実行する（図１６  ステップＳ５００）。
【００５３】
ユーザ認証部３１０によるユーザの認証が失敗すると（図１６  Ｓ５０１  Ｎｏ）、ユーザ認証部３１０は、その旨を制御部３０に通知する。通知を受けた制御部３０は、表示部１４に対して認証失敗画面を表示するよう指示を与える。認証失敗画面の表示指示を受けた表示部１４は、認証失敗画面を表示する（図１６  ステップＳ５０７）。
【００５４】
一方、ユーザ認証部３１０によるユーザの認証が成功すると（図１６  Ｓ５０１  Ｙｅｓ）、ユーザ認証部３１０は、その旨を制御部３０に通知する。通知を受けた制御部３０は、ロック機構制御部３０３に対してカバー１２’がロックされているか否かを確認する。ここで、カバー１２’がロックされていない場合（図１６  ステップＳ５０２  Ｎｏ）、ロック機構制御部３０３は、その旨を制御部３０に通知する。通知を受けた制御部３０は、表示部１４に対して認証成功画面を表示するよう指示を与える。認証成功画面の表示指示を受けた表示部１４は、認証成功画面を表示する（図１６  ステップＳ５０５）。
【００５５】
一方、カバー１２’がロックされている場合（図１６  ステップＳ５０２  Ｙｅｓ）、ロック機構制御部３０３は、その旨を制御部３０に通知する。通知を受けた制御部３０は、ユーザ認証で成功したユーザ情報とロックユーザ情報記憶部３１２に記憶されているロックユーザ情報とを比較するようユーザ認証部３１０に対して指示を与える。指示を受けたユーザ認証部３１０は、ユーザ情報とロックユーザ情報とを比較する。比較した結果、ユーザ情報とロックユーザ情報とが一致した場合（図１６  ステップ５０３  Ｙｅｓ）、ユーザ認証部３１０はその旨を制御部３０に通知する。通知を受けた制御部３０は、ロックを解除するようロック機構制御部３０３に対して指示を与えるとともに（図１６  ステップＳ５０４）、表示部１４に対して認証成功画面を表示するよう指示を与える。ロック解除指示を受けたロック機構制御部３０３は、ロックを解除する。また、認証成功画面の表示指示を受けた表示部１４は、認証成功画面を表示する（図１６  ステップＳ５０５）。
【００５６】
一方、ユーザ情報とロックユーザ情報とが一致しなかった場合（図１６  ステップＳ５０３  Ｎｏ）、ユーザ認証部３１０はその旨を制御部３０に通知する。通知を受けた制御部３０は、表示部１４に対してカバー１２’はロック状態である旨の画面を表示するよう指示を与える。表示指示を受けた表示部１４は、カバー１２’はロック状態である旨の画面を表示する（図１６  ステップＳ５０６）。
【００５７】
その後、操作入力部１５を介して原稿Ｐの読み取り開始指示の入力を受付けると、パネル制御部３１は、原稿Ｐの読み取り開始が指示された旨を制御部３０に対して通知する。すると、制御部３０は、原稿Ｐの読み取りを開始するよう読み取り制御部３２に指示を与える（図１７  ステップＳ６００）。
【００５８】
読み取り制御部３２により原稿Ｐの読み取り終了が通知されると（図１７  ステップＳ６０１  Ｙｅｓ）、制御部３０はタイマ３７を起動する。そして、所定時間が経過すると（図１７  ステップＳ６０２  Ｙｅｓ）、制御部３０は、原稿載置台１６上の原稿Ｐの有無について原稿有無判断部４２に問合せる。ここで、原稿載置台１６上に原稿Ｐがあると原稿有無判断部４２が判断した場合（図１７  ステップＳ６０３  Ｙｅｓ）、制御部３０は、ロック機構制御部３０３に対してカバー１２’をロックするよう指示を与える（図１７  ステップＳ６０４）。指示を受けたロック機構制御部３０３は、ステッピングモータ２５０を動作させ、カバー１２’をロックさせる。
【００５９】
そして、制御部３０は、ユーザ認証部３１０に対して現在のユーザ情報をロックユーザとして保存するよう指示を与える。指示を受けたユーザ認証部３１０は、現在のユーザ情報をロックユーザ情報記憶部３１１に記憶させることで、ロックユーザ情報を保存する（図１７  ステップＳ６０５）。
【００６０】
一方、原稿載置台１６上に原稿Ｐが無いと原稿有無判断部４２が判断した場合（（図１７  ステップＳ６０３  Ｎｏ）、制御部３０は処理を終了する。
【００６１】
以上のように、第３の実施形態によれば、ユーザが原稿載置板上に原稿を置き忘れた場合、所定時間経過後、カバーがロックされるので、原稿の置忘れによる情報漏えいを防止することができる。
【００６２】
なお、本発明は上記記述に限定されるものではない。例えば、本発明の画像読み取り装置を複写機等に適用した場合において、画像読み取り装置による原稿の読み取り動作終了後、原稿が原稿載置板に残っており、かつ、読み取られた原稿上の画像が複写された記録紙が回収されずに残っているときに、カバーを開かせる形態としてもよい。また、例えば、ユーザが料金を支払って当該複写機を使用する場合において、複写が終了し、ユーザがおつりを回収するタイミングに合せて、画像読み取り装置のカバーを開かせる形態としてもよい。
【００６３】
また、本発明の実施形態の説明においては、画像読み取り装置による原稿の読み取り動作終了後、原稿が原稿載置板に残っている場合にカバーを開かせる形態としたが、例えば、音声によるガイダンスや、表示部に原稿が原稿載置板に残っている旨を通知させる形態としてもかまわない。
【図面の簡単な説明】
【００６４】
【図１】画像読み取り装置の要部側面図である。
【図２】画像読み取り装置の要部拡大断面図である。
【図３】図１中のＡ断面を矢印方向から見た断面図である。
【図４】画像読み取り装置の機能構成を説明するブロック図である。
【図５】画像読み取り装置による原稿の読み取り動作を説明するフローチャートである。
【図６】画像読み取り装置による原稿の読み取り動作を説明するフローチャートである。
【図７】画像読み取り装置の要部側面図である。
【図８】画像読み取り装置を上部から見た概略構成図である。
【図９】画像読み取り装置の機能構成を説明するブロック図である。
【図１０】画像読み取り装置による原稿の読み取り動作を説明するフローチャートである。
【図１１】画像読み取り装置の要部側面図である。
【図１２】画像読み取り装置のロック機構の部分拡大図である。
【図１３】図１２中のＤ断面を矢印Ｂ方向から見た断面図である
【図１４】図１２中のＤ断面を矢印Ｃ方向から見た断面図である
【図１５】画像読み取り装置の機能構成を説明するブロック図である。
【図１６】画像読み取り装置によるユーザ認証にかかる処理を説明するフローチャートである。
【図１７】画像読み取り装置による原稿の読み取り動作を説明するフローチャートである。
【符号の説明】
【００６５】
１０  画像読み取り装置
１１，１１’  装置本体
１２，１２’  カバー
１３  開閉機構部
１４  表示部
１５  操作入力部
１６  原稿載置板
１７  画像読み取り部
１８  ベルト
１９  プーリ
２０  プーリ
２１  画像読み取り搬送モータ
２２  搬送ガイドバー
２３  制御基板
２４  開閉駆動軸
２５  従動ギア
２６  ステッピングモータ
２７  回転軸
２８  駆動ギア
３０  制御部
３１  パネル制御部
３２  読み取り制御部
３３  カバー開閉制御部
３４  画像処理部
３５  データ蓄積部
３６  データ出力部
３７  タイマ
４０  原稿有無センサ
４１  基準端
４２  原稿有無判断部
２５０  ステッピングモータ
２５１  駆動ギア
２５２  ロックギア
２５３  回転軸
２５４  駆動軸
２５５  突起部
２５６  突起部
３０３  ロック機構制御部
３１０  ユーザ認証部
３１１  ロックユーザ情報記憶部
３１２  ユーザ情報記憶部
【図１】
2010028262.tif 000003
【図２】
2010028262.tif 000004
【図３】
2010028262.tif 000005
【図４】
2010028262.tif 000006
【図５】
2010028262.tif 000007
【図６】
2010028262.tif 000008
【図７】
2010028262.tif 000009
【図８】
2010028262.tif 000010
【図９】
2010028262.tif 000011
【図１０】
2010028262.tif 000012
【図１１】
2010028262.tif 000013
【図１２】
2010028262.tif 000014
【図１３】
2010028262.tif 000015
【図１４】
2010028262.tif 000016
【図１５】
2010028262.tif 000017
【図１６】
2010028262.tif 000018
【図１７】
2010028262.tif 000019